【事件の表示】
　特許第２７５３５０１号「歯科用埋没材組成物」の請求項１ないし３に係る特許に対する特許異議の申立てについて、次のとおり決定する。
【結論】
　訂正を認める。
　特許第２７５３５０１号の請求項１ないし２に係る特許を維持する。
【理由】
［Ｉ］手続の経緯
　特許第２７５３５０１号の発明についての出願は、平成２年８月２９日に特許出願され、平成１０年３月６日にその発明について特許の設定登録がなされ、その後、その特許について、富崎元成より特許異議の申立てがなされ、取消理由通知がなされ、その指定期間内である平成１１年６月１４日に訂正請求がなされたものである。
［ＩＩ］訂正の適否についての判断
ア．訂正の内容
　特許権者は、以下のａ〜ｊの訂正を請求する。
訂正ａ
　特許請求の範囲の請求項１の「半水石こうを結合材主成分とし、これに酸、塩基、塩より選ばれた少なくとも２種以上を配合したことを特徴とする歯科用埋没材組成物。」を
「半水石こうを結合材主成分とした埋没材粉中に、クエン酸とクエン酸カリウム，乳酸と乳酸ナトリウム，酢酸と酢酸ナトリウム，酒石酸と酒石酸ナトリウム，クエン酸水素カリウムとホウ砂，クエン酸水素カリウムとクエン酸，リン酸二水素カリウムと水酸化ナトリウム，リン酸水素二ナトリウムとクエン酸，リン酸水素二ナトリウムとリン酸二水素カリウム，及びコハク酸とホウ砂の１０組の中から選ばれた１組のｐＨ調整材を配合したことを特徴とする歯科用埋没材組成物。」と訂正する。
訂正ｂ
　特許請求の範囲の請求項２を削除する。
訂正ｃ
　特許請求の範囲の請求項３の「酸、塩基、塩より選ばれた少なくとも２種以上の組み合わせが０．０２〜５．０重量％である請求項１または２に記載の歯科用埋没材組成物。」を
「ｐＨ調整材が０．０２〜５．０重量％配合されている請求項１に記載の歯科用埋没材組成物。」と訂正する。
訂正ｄ
　明細書第４頁第１５行（公報第３欄第３５行）の「結合材として」とあるを「結合材主成分として」と訂正する。
訂正ｅ
　明細書第４頁第１７〜１９行（公報第３欄第３７〜３８行）の「酸、塩基、塩より選ばれた緩衝作用を有する少なくとも２種以上が」とあるを「クエン酸とクエン酸カリウム，乳酸と乳酸ナトリウム，酢酸と酢酸ナトリウム，酒石酸と酒石酸ナトリウム，クエン酸水素カリウムとホウ砂，クエン酸水素カリウムとクエン酸，リン酸二水素カリウムと水酸化ナトリウム，リン酸水素二ナトリウムとクエン酸，リン酸水素二ナトリウムとリン酸二水素カリウム，及びコハク酸とホウ砂の１０組の中から選ばれた１組のｐＨ調整材が、好ましくは」と訂正する。
訂正ｆ
　明細書第５頁第１３〜１７行（公報第３欄第５０行〜第４欄第４行）の「緩衝作用を有する酸、塩基、塩より選ばれた少なくとも２種以上の組み合わせはｐＨが１〜８の範囲であれば一般的に緩衝液を作る際に用いられるあらゆる種類の酸、塩基、塩の組合わせでもよく、具体例を示すと」とあるを「ｐＨ調整材は」と訂正する。
訂正ｇ
　明細書第６頁第３〜４行（公報第４欄第１２行）の「などが使用され得る。」とあるを「及びコハク酸とホウ砂の１０組の中から選んだ１組である。」と訂正する。
訂正ｈ
　明細書第６頁第５〜６行（公報第４欄第１１〜１２行）の「緩衝作用を有する酸、塩基、塩より選ばれた少なくとも２種以上の組み合わせ」とあるを「ｐＨ調整材」と訂正する。
訂正ｉ
　明細書第７頁第１３〜１６行（公報第４欄第３５〜３８行）の「尚、斯かる実施例は単なる例示に過ぎず、本発明を実施するに採用される緩衝作用を有する酸、塩基、塩より選ばれた少なくとも２種以上の組み合わせを特に限定するものではない。」とあるを削除する。
訂正ｊ
　明細書第１０頁第２〜４行（公報第５欄第４８〜５０行）の「緩衝作用を有する酸、塩基、塩より選ばれた少なくとも２種以上の組み合わせが０．０２〜５．０重量％含有した」とあるを「ｐＨ調整材を０．０２〜５．０重量％配合した」と訂正する。
イ．訂正の目的の適否、新規事項の有無及び拡張・変更の存否
　訂正ａは、請求項１において、「半水石こうを結合材主成分とし、これに」なる記載を、明細書中の「即ち本発明は、結合材として半水石こうを、また耐火材として石英及び／またはクリストバライトから成る粉末状歯科用埋没材組成物に、」なる記載に基づいて、より明りょうな記載である「半水石こうを結合材主成分とした埋没材粉中に、」と訂正し、「酸、塩基、塩より選ばれた少なくとも２種以上」を、明細書中に記載された、クエン酸とクエン酸カリウム，乳酸と乳酸ナトリウム，酢酸と酢酸ナトリウム，酒石酸と酒石酸ナトリウム，クエン酸水素カリウムとホウ砂，クエン酸水素カリウムとクエン酸，リン酸二水素カリウムと水酸化ナトリウム，リン酸水素二ナトリウムとクエン酸，リン酸水素二ナトリウムとリン酸二水素カリウム，及びコハク酸とホウ砂、の１０組の中から選ばれた１組のｐＨ調整材に限定するものであるから、明りょうでない記載の釈明及び特許請求の範囲の減縮に該当するものであり、新規事項の追加に該当しない。
　訂正ｂは、一部の請求項を削除するものであるから、特許請求の範囲の減縮に該当するものであり、新規事項の追加に該当しない。
　訂正ｃは、請求項３の記載において、訂正ａによって訂正された請求項１の記載との整合を図り、かつ、訂正ｂによって削除された請求項２を引用することをやめるものであるから、明りょうでない記載の釈明及び特許請求の範囲の減縮に該当するものであり、新規事項の追加に該当しない。
　訂正ｄ〜ｊは、いずれも、請求項１に係る訂正ａにともなって、発明の詳細な説明の記載を整合させるものといえるから、明りようでない記載の釈明に該当するものであり、新規事項の追加に該当しない。
　そして、上記いずれの訂正も、実質上特許請求の範囲を拡張し、又は変更するものでもない。
ウ．独立特許要件
　上記訂正ａ〜ｃにより訂正された特許請求の範囲の請求項１〜２に係る発明は、後記［ＩＩＩ］で示した内容から明らかなように、特許出願の際独立して特許を受けることができるものである。
エ．むすび
　以上のとおりであるから、上記訂正は、特許法第１２０条の４第２項及び同条第３項において準用する第１２６条第２〜４項の規定に適合するので、当該訂正を認める。
［ＩＩＩ］特許異議の申立てについて
ア．本件発明
　本件発明は、訂正した明細書の特許請求の範囲の請求項１〜２に記載された、以下のとおりのものである。
　【請求項１】半水石こうを結合材主成分とした埋没材粉中に、クエン酸とクエン酸カリウム，乳酸と乳酸ナトリウム，酢酸と酢酸ナトリウム，酒石酸と酒石酸ナトリウム，クエン酸水素カリウムとホウ砂，クエン酸水素カリウムとクエン酸，リン酸二水素カリウムと水酸化ナトリウム，リン酸水素二ナトリウムとクエン酸，リン酸水素二ナトリウムとリン酸二水素カリウム，及びコハク酸とホウ砂の１０組の中から選ばれた１組のｐＨ調整材を配合したことを特徴とする歯科用埋没材組成物。
　【請求項２】ｐＨ調整材が０．０２〜５．０重量％配合されている請求項１に記載の歯科用埋没材組成物。
イ．申立ての理由の概要
　これに対し、特許異議申立人富崎元成は、証拠として
甲第１号証：特開昭５１−９２５９５号公報
甲第２号証：特開昭５９−５４６５３号公報
甲第３号証：特開昭５９−１８１２０４号公報
甲第４号証：特開昭５０−１１２２１８号公報
を提示し、以下の３点を主張している。
１）本件請求項１〜３に係る発明は、甲第１〜３号証に記載された発明であるから、特許法第２９条第１項第３号に該当する。
２）本件請求項１に係る発明は、甲第３〜４号証に記載された発明に基づいて当業者が容易に想到し得た発明であるから、特許法第２９条第２項の規定により特許を受けることができないものである。
３）本件請求項２の発明に関する本件特許明細書の記載には不備があり、本件出願は特許法第３６条に規定する要件を満たしていない。
ウ．判断
　そこで、上記特許異議申立人の主張について、以下検討する。
１）、２）の主張について
　甲第１号証には、重量％で、超硬石膏粉末　４５〜５５％、珪石粉末　４５〜５５％、塩化バリウム粉末　０．５〜１．５％、第一リン酸アンモン粉末　０．２〜１％を混合した微粉末混合物にシリカゾル又は、水の適当量を加えて練和したスラリーよりなる歯科用石膏系直接埋没材が記載されている。
　甲第２号証には、硬質半水セツコウ５０〜９０重量部とベーター半水セツコウ１０〜５０重量部との混合物　１００重量部に、可溶性カリウム塩０．２〜２．０重量部が添加されて成ることを特徴とする義歯埋没用セツコウ組成物が記載されており、可溶性カリウム塩として、硫酸カリウム、塩化カリウム、酒石酸カリウムなどの１種又は２種以上が使用できることが記載されている。
　甲第３号証には、リン酸アルミニウム０．６〜６％、塩化ナトリウム１〜３％および界面活性剤１０〜１００ｐｐｍを含み、ｐＨが１．６以上である歯科用埋没材練和液が記載されており、その実施例１には、歯科用硬石膏と鋳物用硅砂の混合物を上記練和液を用いて練和したものが記載されている。
　甲第４号証には、特定の珪石粉末、超硬質半水石膏粉末、可溶性塩化物粉末よりなる粉体混合物を粉末１００瓦に対して水２６〜３５ｃｃの割合にて練和したスラリーよりなる歯科金属床鋳造用石膏埋没材が記載されている。
　ここで、本件請求項１に係る発明と甲第１号証に記載された微粉末混合物とを対比すると、両者は、半水石こうに、特定の粉末を配合した歯科用埋没材組成物である点で一致するが、前者が、特定の粉末として「クエン酸とクエン酸カリウム，乳酸と乳酸ナトリウム，酢酸と酢酸ナトリウム，酒石酸と酒石酸ナトリウム，クエン酸水素カリウムとホウ砂，クエン酸水素カリウムとクエン酸，リン酸二水素カリウムと水酸化ナトリウム，リン酸水素二ナトリウムとクエン酸，リン酸水素二ナトリウムとリン酸二水素カリウム，及びコハク酸とホウ砂の１０組の中から選ばれた１組のｐＨ調整材」を配合するのに対し、後者が塩化バリウム粉末及び第一リン酸アンモン粉末を配合する点で、両者は相違する。
　してみれば、本件請求項１に係る発明と甲第１号証に記載された微粉末混合物とは、その組成の点で明らかに異なるものである。
　次に、本件発明と甲第２号証に記載された義歯埋没用セツコウ組成物とを対比すると、両者は、半水石こうに、特定の粉末を配合した歯科用埋没材組成物である点で一致するが、前者が、特定の粉末として「クエン酸とクエン酸カリウム，乳酸と乳酸ナトリウム，酢酸と酢酸ナトリウム，酒石酸と酒石酸ナトリウム，クエン酸水素カリウムとホウ砂，クエン酸水素カリウムとクエン酸，リン酸二水素カリウムと水酸化ナトリウム，リン酸水素二ナトリウムとクエン酸，リン酸水素二ナトリウムとリン酸二水素カリウム，及びコハク酸とホウ砂の１０組の中から選ばれた１組のｐＨ調整材」を配合するのに対し、後者が、硫酸カリウム、塩化カリウム、酒石酸カリウムなどの１種又は２種以上が使用できるとされる可溶性カリウム塩を配合する点で、両者は相違する。
　してみれば、本件請求項１に係る発明と甲第２号証に記載された歯科用埋没材組成物とは、その組成の点で明らかに異なるものである。
　さらに、本件請求項１に係る発明と甲第３号証に記載されたものとを対比すると、本件請求項１に係る発明の組成物は、粉末であるところ、甲第３号証に記載のものは、歯科用埋没材練和液、又は、歯科用硬石膏と鋳物用硅砂の混合物を上記練和液を用いて練和したものであるから、両者は、その物理的状態の点でまず相違し、さらに、上記練和液で上記歯科用硬石膏と鋳物用硅砂の混合物を練和したものにおいて石膏と共に存在することとなるリン酸アルミニウム及び塩化ナトリウムも、本件請求項１に係る発明で使用されるｐＨ調整材とは異なるものである。
　してみれば、本件請求項１に係る発明と甲第３号証に記載されたものとは、その物理的状態及び組成の点で明らかに異なるものである。
　そして、甲第４号証には、本件請求項１に係る発明で使用するｐＨ調整材については記載も示唆もない。
　しかも、本件請求項１に係る発明は、かかるｐＨ調整材を、半水石こうを結合材主成分とする埋没材粉中に配合することにより、明細書記載の作用効果を奏し得たものである。
　したがって、本件請求項１に係る発明は、甲第３号証に記載された発明ではないばかりか、甲第３号証に甲第４号証を組み合わせても、当業者が容易に発明をすることができたものとはいえない。
　結局、本件請求項１〜２に係る発明は、特許法第２９条第１項第３号及び同第２９条第２項の規定により特許を受けることができないものとはいえない。
　よって、特許異議申立人の１）及び２）の主張は、採用できない。
３）の主張について
　上記訂正により、訂正前の本件請求項２は削除された。
　したがって、訂正した明細書には、特許異議申立人が主張するような記載上の不備はないから、本件特許が特許法第３６条に規定する要件を満たしていないとはいえない。
　よって、特許異議申立人の３）の主張も採用できない。
［ＩＶ］むすび
　以上のとおり、特許異議申立ての理由及び証拠によっては、本件請求項１〜２に係る特許を取り消すことができない。
　また、請求項１〜２に係る特許について、他に取消理由を発見しない。
　よって、結論のとおり決定する。
【異議決定日】
平成１１年７月７日（１９９９．７．７）
【訂正の要旨】
　特許請求の範囲の請求項１の「半水石こうを結合材主成分とし、これに酸、塩基、塩より選ばれた少なくとも２種以上を配合したことを特徴とする歯科用埋没材組成物。」を、不明りょうな記載の釈明及び特許請求の範囲の減縮を目的として、「半水石こうを結合材主成分とした埋没材粉中に、クエン酸とクエン酸カリウム，乳酸と乳酸ナトリウム，酢酸と酢酸ナトリウム，酒石酸と酒石酸ナトリウム，クエン酸水素カリウムとホウ砂，クエン酸水素カリウムとクエン酸，リン酸二水素カリウムと水酸化ナトリウム，リン酸水素ニナトリウムとクエン酸，リン酸水素二ナトリウムとリン酸二水素カリウム，及びコハク酸とホウ砂の１０組の中から選ばれた１組のｐＨ調整材を配合したことを特徴とする歯科用埋没材組成物。」と訂正する。
　特許請求の範囲の請求項２を、特許請求の範囲の減縮を目的として、削除する。
　特許請求の範囲の請求項３の「酸、塩基、塩より選ばれた少なくとも２種以上の組み合わせが０，０２〜５．０重量％である請求項１または２に記載の歯科用埋没材組成物。」を、不明りょうな記載の釈明を目的として、「ｐＨ調整材が０．０２〜５．０重量％配合されている請求項１に記載の歯科用埋没材組成物。」と訂正する。
　明細書第４頁第１５行（公報第３欄第３５行）の「結合材として」とあるを、不明りょうな記載の釈明を目的として、「結合材主成分として」と訂正する。
訂正ｅ
　明細書第４頁第１７〜１９行（公報第３欄第３７〜３８行）の「酸、塩基、塩より選ばれた緩衝作用を有する少なくとも２種以上が」とあるを、不明りょうな記載の釈明を目的として、「クエン酸とクエン酸カリウム，乳酸と乳酸ナトリウム，酢酸と酢酸ナトリウム，酒石酸と酒石酸ナトリウム，クエン酸水素カリウムとホウ砂，クエン酸水素カリウムとクエン酸，リン酸二水素カリウムと水酸化ナトリウム，リン酸水素二ナトリウムとクエン酸，リン酸水素ニナトリウムとリン酸二水素カリウム，及びコハク酸とホウ砂の１０組の中から選ばれた１組のｐＨ調整材が、好ましくは」と訂正する。
訂正ｆ
　明細書第５頁第１３〜１７行（公報第３欄第５０行〜第４欄第４行）の「緩衝作用を有する酸、塩基、塩より選ばれた少なくとも２種以上の組み合わせはｐＨが１〜８の範囲であれば一般的に緩衝液を作る際に用いられるあらゆる種類の酸、塩基、塩の組合わせでもよく、具体例を示すと」とあるを、不明りょうな記載の釈明を目的として、「ｐＨ調整材は」と訂正する。
訂正ｇ
　明細書第６頁第３〜４行（公報第４欄第１２行）の「などが使用され得る。」とあるを、不明りょうな記載の釈明を目的として、「及びコハク酸とホウ砂の１０組の中から選んだ１組である。」と訂正する。
訂正ｈ
　明細書第６頁第５〜６行（公報第４欄第１１〜１２行）の「緩衝作用を有する酸、塩基、塩より選ばれた少なくとも２種以上の組み合わせ」とあるを、不明りょうな記載の釈明を目的として、「ｐＨ調整材」と訂正する。
訂正ｉ
　明細書第７頁第１３〜１６行（公報第４欄第３５〜３８行）の「尚、斯かる実施例は単なる例示に過ぎず、本発明を実施するに採用される緩衝作用を有する酸、塩基、塩より選ばれた少なくとも２種以上の組み合わせを特に限定するものではない。」とあるを、不明りょうな記載の釈明を目的として、削除する。
訂正ｊ
　明細書第１０頁第２〜４行（公報第５欄第４８〜５０行）の「緩衝作用を有する酸、塩基、塩より選ばれた少なくとも２種以上の組み合わせが０．０２〜５．０重量％含有した」とあるを、不明りょうな記載の釈明を目的として、「ｐＨ調整材を０．０２〜５．０重量％配合した」と訂正する。
（５４）【発明の名称】
歯科用埋没材組成物
（５７）【特許請求の範囲】
１　半水石こうを結合材主成分
とした埋没材粉中に、クエン酸とクエン酸カリウム，乳酸と乳酸ナトリウム，酢酸と酢酸ナトリウム，酒石酸と酒石酸ナトリウム，クエン酸水素カリウムとホウ砂，クエン酸水素カリウムとクエン酸，リン酸二水素カリウムと水酸化ナトリウム，リン酸水素二ナトリウムとクエン酸，リン酸水素二ナトリウムとリン酸二水素カリウム，及びコハク酸とホウ砂の１０組の中から選ばれた１組のｐＨ調整材
　
２
ｐＨ調整材
配合されている
１
【発明の詳細な説明】
〔産業上の利用分野〕
　本発明は歯科に於いて、口腔内に装着する鋳造修復物の作製の際に使用する粉末状の歯科用埋没材組成物に関するものである。
〔従来の技術〕
　歯科金属修復物はロストワックス法による精密鋳造技術により修復物の形態をワックス材で形成し、それにスプルー線（注入口）を付け、之を歯科用埋没材に埋没し、埋没材が凝結した後にスプルー線を抜き取り、ワックスを焼却除去することによって作製した鋳型の中にスプルー線によって出来た湯道を通して融解金属を注入する手順によって作製されていた。特に歯科金属修復物は欠損した歯牙の修復を目的として口腔内に装着して使用されるため高い寸法精度が要求されており、高い寸法精度を有する歯科金属修復物を得るためには歯科用埋没材の凝結時及び加熱時の膨張を利用して、金属の冷却時の収縮を補償する必要がある。
　之等の歯科用埋没材は、石英及び／またはクリストバライトなどの耐火材に、結合材として半水石こうを混合した石こう系埋没材と、結合材として可溶性リン酸塩と酸化マグネシウムとを混合した耐熱性の高いリン酸塩系埋没材が広く一般に使用されている。術者は通常容器に付属されている粉末計量器を用いて埋没材粉末を計量し、それに対応する規定量の水量または指定液量を正確に計量してゴム製小型ボールに採り、石こうヘラを用いて練和して埋没材泥とした後、ワックスパターンを植立した鋳造用リングに注入して埋没する。
　通常、歯科技工士が之等埋没作業を行なう場合仕事の能率を上げるため鋳造用リングを多数用意し、一度に多量の埋没材を練和し、ワックスパターンを埋没する。しかしながら埋没材の操作可能時間は限られており（通常室温の場合で、１０〜１５分程度）作業を効率良く行なうためには埋没材泥の流動性が良いことが必要である。処が逆に流動性が良過ぎるとリングの隙間から埋没材泥が流れ出て了ったり、液分離することもあり実際の使用には適さない。
　この様に、埋没材泥に適切な流動性を持たせるためには埋没材粉の粒度調整を行なう必要があった。
　しかしこの方法では、原料粒子径のバラツキのために何度も粒度調整を行なったり不純物の混入などにより、場合によっては所望の流動性が得られないなどの欠点を有していた。また埋没材粉は、表面の滑沢な金属修復物を得るため微細粒子を配合しているため一旦開封後は大気中の水分などを吸収し易く凝結時間や流動性の増減を生じ、しいては金属の収縮を補償するための埋没材の凝結膨張及び熱膨張の値に著しく影響するという欠点を有していた。
〔課題を解決するための手段〕
　そこで本発明者等は埋没材泥の簡単な流動性調整方法を確立すべく鋭意検討した結果、之等埋没材泥の流動性がｐＨと密接に関係していることを究明し本発明を完成した。
　即ち本発明は、結合材
主成分
クエン酸とクエン酸カリウム，乳酸と乳酸ナトリウム，酢酸と酢酸ナトリウム，酒石酸と酒石酸ナトリウム，クエン酸水素カリウムとホウ砂，クエン酸水素カリウムとクエン酸，リン酸二水素カリウムと水酸化ナトリウム，リン酸水素二ナトリウムとクエン酸，リン酸水素二ナトリウムとリン酸二水素カリウム，及びコハク酸とホウ砂の１０組の中から選ばれた１組のＨ調整材が、好ましくは
　ｐＨ値と流動性の関係は具体的には、ｐＨ値が低い場合には流動性が大きくなり、ｐＨ値が高い場合には流動性が小さくなることを究明し、本発明を完成した。
　歯科修復物の金属が金合金、パラジウム合金、銀合金などの場合には半水石こうを結合材とし、石英及び／またはクリストバライトを耐火材とする石こう系埋没材が使用され、通常水で練和される。
ｐＨ調製材は、
，及びコハク酸とホウ砂の１０組の中から選んだ１組である。
　上記
ｐＨ調整材
　本発明による歯科用埋没材組成物はｐＨ緩衝作用で流動性を調整し安定させるため、従来の様に原料粉の粒度調整を厳密に行なう必要が無く、保存安定性も向上した。
　尚、本発明による粉末状歯科用埋没材には通常用いられている様な石こう凝結時間調整剤を添加することができる。石こう凝結時間調節剤としては、従来から知られている総べてのものが使用できる。例えばクエン酸、コハク酸、シユウ酸、リンゴ酸等の有機酸及びその塩、塩酸、ほう酸、硫酸等のナトリウム塩、カリウム塩、マグネシウム塩、カルシウム塩、アルミニウム塩等の無機塩、アスパラギン酸、グルタミン酸、システイン等のアミノ酸及びその塩、シヨ糖、デンプン、ペクチン等の糖類、或いは顔料等着色剤を添加してもよい。
〔実施例〕
　以下に実施例により本発明を更に具体的に説明する
。
実施例１〜６，比較例１〜２
　各実施例及び比較例に於ける試料作成時の練和法は歯科用のゴム製小型ボールに水温２３±２℃の標準混水比の水を入れ、更に１００ｇの埋没材を１５秒かかって入れた後、石こう練和用スパチユラを用い、１分間約１００回の練和速度で３０秒間練和した。
　凝結時間、流動性及び圧縮強さは、日本工業規格Ｔ６６０１（歯科鋳造用石こう系埋没材）に準じて室温（２０〜２５℃）に於いて行なった。
　ｐＨの測定方法は蒸留水１００ｍｌを２００ｍｌのビーカーに入れ試料１０ｇを静かにビーカー中に投じガラス棒で軽く３０秒程度撹拌しガラス電極式ｐＨ測定器でｐＨ値を測定した。
　保存安定性はポリエチレン袋に入れた埋没材粉末を温度３７゜Ｃ、相対湿度１００％の恒温恒湿器に６０日間保存する強制劣化法により、強制劣化後、埋没材の凝結時間及び流動性を測定して、予め同方法で測定しておいた最初の凝結時間及び流動性を差し引いた凝結時間の変動（分）及び流動性の変動（ｍｍ）で示した。
〔発明の効果〕
　表から明かな如く、
ｐＨ調製材を
配合した